(57)【要約】【課題】パトローネの装填がスムーズに行なえ、かつパトローネを正しい位置に容易にセットできるカメラを提供する。【解決手段】パトローネ室１４の入口側には回転規制部材４０が設けられ、パトローネ室１４の奥側にはガイド部材４２が設けられている。パトローネ装填時にはパトローネ１２のフイルム出入口２２をフイルム走行面２７に対して上方に傾けるようにして装填口３２に挿入する。これにより、回転規制部材４０によってパトローネ１２の回転が規制され、回転しすぎることがない。さらにパトローネ１２を所定量以上挿入すると、フイルム出入口２２の端部にガイド部材４２の傾斜面４２ａが当接し、パトローネ１２が回転されて正位置にセットされる。【選択図】  図１
2005274959.tif 000002
【特許請求の範囲】
【請求項１】
カメラ本体と、該カメラ本体の一方側に設けられたパトローネ室と、カメラ本体の他方側に設けられ、前記パトローネ室に装填されたパトローネのフイルムを巻き取るスプール軸とを備え、前記パトローネを前記パトローネ室にパトローネ軸方向に挿入するようにしたドロップインローディング方式のカメラにおいて、
前記パトローネが前記パトローネ室に挿入されるに従って、前記パトローネに当接することにより、前記フイルムリーダー部のフイルム出入口からの送出方向がフイルム走行面に向かう位置に前記パトローネを回転させる第１のガイド部材をパトローネ室に設けたことを特徴とするドロップインローディング方式のカメラ。
【請求項２】
前記第１のガイド部材はパトローネ室の奥側に設けられていることを特徴とする請求項１に記載されたドロップインローディング方式のカメラ。
【請求項３】
前記パトローネ室への前記パトローネ挿入時に、前記パトローネに当接することにより前記パトローネを回転させる第２のガイド部材を、パトローネ室の入口側に設けたことを特徴とする請求項２に記載されたドロップインローディング方式のカメラ。
【請求項４】
前記第１のガイド部材と前記第２のガイド部材とは、前記パトローネのパトローネ室への装填時に、前記パトローネに形成されたフイルム感度などのフイルム情報面と干渉しない位置に配置されていることを特徴とする請求項３に記載されたドロップインローディング方式のカメラ。
【発明の詳細な説明】
【技術分野】
【０００１】
本発明はドロップインローディング方式のカメラに関する。
【背景技術】
【０００２】
１３５タイプのパトローネを使用するカメラのフイルム装填方式としてドロップインローディング（ＤＩＬ）方式が知られている。
【０００３】
ＤＩＬ方式は、カメラ本体の装填蓋を開き、カメラ本体の底面のパトローネ室の装填口にパトローネの軸方向に沿ってパトローネを落とし込むようにして装填するものである。
【０００４】
このＤＩＬ方式には、パトローネ軸が突出していない方（フイルムリーダー部の切り欠きが形成された方向）からパトローネをパトローネ室に装填する方式（以下、順装填ＤＩＬ方式と称する。特許文献１参照。）と、パトローネ軸が突出した方（フイルムリーダー部の切り欠きが形成されていない方向）からパトローネをパトローネ室に装填する方式（以下、順装填ＤＩＬ方式と称する。）とがあるが、カメラ本体のコンパクト化を図るには逆装填ＤＩＬ方式が有利とされている。すなわち、順装填ＤＩＬ方式のカメラの場合、カメラ本体を正面側から見て右端にパトローネ室が形成されるが、通常カメラ本体の右上端にはストロボユニットが配設されるため、このストロボユニットとパトローネ室との干渉を避けてレイアウトする関係上、カメラ本体の高さ方向の寸法が逆装填ＤＩＬ方式より大きくなってしまう。したがって、カメラ本体の左端にパトローネ室が形成される逆装填ＤＩＬ方式が、カメラ本体のコンパクト化には有利とされる。
【特許文献１】実公平０５−２２９２４号公報
【発明の開示】
【発明が解決しようとする課題】
【０００５】
しかし、逆装填ＤＩＬ方式の場合、フイルムリーダー部の切り欠きが形成されていない方向からパトローネ室に装填するために、フイルムのカールぐせによって装填時にフイルムがカメラ本体の底面に引っ掛かり、装填しづらいという欠点があった。このため、パトローネの装填に伴いフイルムを指先でサポートし、フイルム先端のカールぐせを直しつつ装填する必要があり、パトローネの装填がスムーズに行なえない不具合があった。
【０００６】
本発明はこのような事情に鑑みてなされたもので、パトローネの装填をスムーズに行なえるドロップインローディング方式のカメラを提供することを目的とする。
【課題を解決するための手段】
【０００７】
本発明は前記目的を達成するために、カメラ本体と、該カメラ本体の一方側に設けられたパトローネ室と、カメラ本体の他方側に設けられ、前記パトローネ室に装填されたパトローネのフイルムを巻き取るスプール軸とを備え、前記パトローネを前記パトローネ室にパトローネ軸方向に挿入するようにしたドロップインローディング方式のカメラにおいて、前記パトローネが前記パトローネ室に挿入されるに従って、前記パトローネに当接することにより、前記フイルムリーダー部のフイルム出入口からの送出方向がフイルム走行面に向かう位置に前記パトローネを回転させる第１のガイド部材をパトローネ室に設けたことを特徴としている。
【０００８】
本発明によれば、パトローネのパトローネ室への挿入に伴って、第１のガイド部材がパトローネに当接し、パトローネを回転させて、フイルムリーダー部の送出方向をフイルム走行面に向かわせる。
【０００９】
したがって、パトローネをパトローネ室に押し込むと、パトローネは第１のガイド部材によって、フイルムリーダー部のフイルム出入口からの送り出し方向がフイルム走行面に向かう位置となるまで回転されるので、パトローネ室にパトローネを押し込めばパトローネを正しい姿勢にセットできる。これにより、カメラへのパトローネの装填が容易に行なえる。
【００１０】
請求項２に記載された本発明によれば、第１のガイド部材はパトローネ室の奥側に設けられている。なお、第１のガイド部材の位置はパトローネ室の奥側が好ましいが、これに限らずパトローネ室の中間側、入口側でもよい。
【００１１】
請求項３に記載された本発明によれば、パトローネ室へのパトローネ挿入時に、パトローネに当接することによりパトローネを回転させる第２のガイド部材を、パトローネ室の入口側に設けたので、パトローネ挿入時に、パトローネの回転方向位置を規制できる。これにより、パトローネ室へのパトローネ挿入時に微妙なパトローネの回転方向位置を調整する必要がなくなる。
【００１２】
請求項４に記載された本発明によれば、第１のガイド部材と第２のガイド部材とは、パトローネのパトローネ室への装填時に、パトローネに形成されたフイルム感度などのフイルム情報面と干渉しない位置に配置されているので、たとえば撮影者がフイルム情報を容易に確認できるフイルムの情報視認用のぞき窓（フイルム確認窓）を装填蓋に設けることができる。
【００１３】
なお、本明細書における「フイルム情報」とは、一般にパトローネの周面やパトローネのフイルム出入口近傍に表記されているもので、たとえばフイルムの種類、フイルム感度、撮影可能枚数など、パトローネのフイルムに関する固有情報を広く意味するものとする。
【００１４】
なお、本発明は順装填ＤＩＬ方式／逆装填ＤＩＬ方式のいずれかを問わずに適用できるが、とくに逆装填ＤＩＬ方式、すなわちフイルムリーダー部の切り欠きが形成されていない方向からパトローネ室に落とし込む方式に本発明を適用すれば、逆装填ＤＩＬ方式においてパトローネの装填が容易に行なえる。従来、ＤＩＬ方式を用いることでカメラサイズが大型化していたが、本発明によって装填が容易となる逆装填ＤＩＬ方式によって、ＤＩＬ方式を用いないカメラと同等のサイズのカメラが実現できる。
【発明の効果】
【００１５】
本発明によれば、パトローネの装填がスムーズに行なえ、かつパトローネを正しい位置に容易にセットできる。
【発明を実施するための最良の形態】
【００１６】
以下、添付図面に従って本発明に係るドロップインローディング方式のカメラの好ましい実施の形態について詳説する。
【００１７】
図１は、本発明に係るドロップインローディング方式のカメラが適用されるコンパクトカメラの構成図である。同図に示すように、コンパクトカメラ１０はパトローネ１２を逆装填ＤＩＬ方式で装填するカメラであり、カメラ本体１６と、このカメラ本体１６にヒンジ１８によって回動自在に軸支された裏蓋（装填蓋）２０などから構成されている。なお、図１は裏蓋２０を開いた状態を示すものである。
【００１８】
カメラ本体１６の背面右側には、パトローネ１２が装填されるパトローネ室１４が配設されており、左側には、フイルムが巻き取られるスプール室２６が配設されている。スプール室２６には、フイルム３０を巻き取るスプール２４が設けられている。
【００１９】
パトローネ室１４とスプール室２６との間には、フイルム３０が走行するフイルム走行面２７が形成されており、フイルム走行面２７には、フイルム３０の露光範囲を規制するアパーチャ２８が形成されている。
【００２０】
なお、符号２８ａは、フイルム３０のパーフォレーション３０ｂに噛み合って、フイルム３０を初期送りしてスプール２４に巻きつけるためのスプロケットである。また、カメラ本体１６のアパーチャ２８上部に相当する位置にはファインダ２９が設けられている。
【００２１】
裏蓋２０は、カメラ本体１６の背面を塞ぐ裏蓋本体２０ａと、パトローネ室１４の底面開口部（以下、装填口３２とする）を塞ぐ底蓋部２０ｂとで構成されている。また、裏蓋２０には後述するパトローネ１２のフイルム情報視認用のぞき窓（フイルム確認窓）２０ｃが設けられている。
【００２２】
なお、符号３４は、フイルム３０をスプール２４に押圧する板バネで構成された付勢部材であり、符号３６は裏蓋２０の中央部に図示せぬバネなどを介して設けられた圧板である。
【００２３】
つぎに、本発明の特徴たるガイド部材について説明する。
【００２４】
パトローネ室１４のカメラ本体１６背面側には、回転規制部材（第２のガイド部材）４０とガイド部材（第１のガイド部材）４２とが設けられている。
【００２５】
回転規制部材４０は、パトローネ室１４の装填口（入口）３２側に設けられ、パトローネ１２をパトローネ室１４に挿入する際に、パトローネ１２の外周面に係合し、パトローネ１２の周方向の回転を規制する。回転規制部材４０は、装填口３２（カメラ本体下側）に向けてその幅が狭められた略三角形の形状からなり、パトローネ室１４のカメラ本体背面側の開口部１４ａに突出するようにカメラ本体１６側から支持されている。
【００２６】
一方、ガイド部材４２は、パトローネ室１４の奥側に設けられ、パトローネ１２のフイルム出入口２２の端部に係合し、パトローネ１２をパトローネ室１４に挿入させるにしたがってパトローネ１２を正位置、すなわちフイルム出入口２２から繰り出されるフイルム３０をフイルム走行面２７に対して平行に繰り出させる位置まで、パトローネ１２をパトローネ軸に対して回転させるものである。このガイド部材４２は、装填口３２に向けてその幅が狭められた形状の傾斜面４２ａを有し、パトローネ室１４のカメラ本体背面側の開口部１４ａを覆うようにカメラ本体１６側から支持されている。ガイド部材４２はパトローネ室１４の奥側に限らず、中間位置、入口寄りでもよい。
【００２７】
なお、回転規制部材４０とガイド部材４２は、パトローネ室１４に装填済みのパトローネ１２の周面に記載されたフイルムの撮影可能枚数やＩＳＯ感度などのフイルム情報表記１２ａと干渉しない位置に配置されている。これにより、カメラ本体１６に装填されたフイルムのフイルム情報を、裏蓋２０のフイルム確認窓２０ｃによって撮影者が容易に確認できる。
【００２８】
また、回転規制部材４０はたとえば樹脂などで成形されるが、ガイド部材４２は硬度（耐摩耗性）を有する金属で成形されている。これは、ガイド部材４２には金属製のパトローネ１２が比較的強い力で押し当てられるためであり、ガイド部材４２の強度を維持するためである。ここで、パトローネ１２の回転をスムーズに行なわせるために、ガイド部材４２を滑り性を有する金属（または表面処理でもよい）で形成することが好ましい。
【００２９】
なお、図示しないが、カメラ本体１６内上部における左側には、コンパクトカメラ１０の正面に閃光面を備えた閃光撮影用のストロボが設けられているほか、カメラ本体１６の上面にはシャッターボタンなどが設けられている。また、本実施の形態におけるカメラ本体１６内には、撮影レンズ鏡筒内でのフォーカスレンズ系の駆動などのほか、フイルム巻き上げ・巻き取りを行なう駆動装置やコンデンサ、バッテリなどの周知の機器が適宜配設されているものとする。
【００３０】
以下には、本発明に係るカメラの作用を説明する。
【００３１】
図２（ａ）に示すように、パトローネ装填時には、パトローネ１２のフイルム出入口２２を、カメラ本体１６のフイルム走行面２７に対して上方に傾けるようにして装填口３２に挿入する。これにより、フイルム出入口２２から突出したフイルムリーダー部３０ａがカメラ本体１６の底面に当接することなく、パトローネ１２をスムーズに挿入できる。
【００３２】
この際、パトローネ１２はその周面に回転規制部材４０が当接し、パトローネ１２のパトローネ軸に対する回転（図２（ａ）矢印Ａ）が規制され、フイルム出入口２２がフイルム走行面２７に対して所定角度以上、立ち上がらないように（フイルム出入口２２が図２上で上方に向かないように）パトローネ１２の姿勢が制御される。
【００３３】
このように、パトローネ１２は回転規制部材４０によって姿勢が制御された状態で軸方向に沿ってパトローネ室１４に挿入される。そして、所定量以上挿入されると図２（ｂ）に示すように、フイルム出入口２２の端部にガイド部材４２の傾斜面４２ａが当接する。
【００３４】
図２（ｂ）に示した状態からさらにパトローネ１２を挿入させると、図２（ｃ）に示すようにパトローネ１２は、フイルム出入口２２の端部がガイド部材４２の傾斜面４２ａにガイドされ左回りに回転される（図２（ｃ）矢印Ｂ）。
【００３５】
さらにパトローネ１２を押し込むと、図２（ｄ）に示すように、フイルム出入口２２がフイルム走行面２７と平行になり、パトローネ１２が正位置にセットされる。
【００３６】
パトローネ１２が正位置にセットされると、フイルムリーダー部３０ａのパーフォレーション３０ｂにスプロケットの歯が噛み合い、この後、裏蓋２０を閉じると、スプロケットが回転駆動され、フイルムリーダー部３０ａがスプール室２６に自動給送される。
【００３７】
このように本実施の形態に係るカメラによれば、パトローネ室１４へのパトローネ１２挿入時にフイルムリーダー部３０ａを指先でサポートする等の微妙な調整の必要がなくなる。また、パトローネ室１４にパトローネ１２を押し込むことで、パトローネ１２を正しい姿勢にセットできる。
【図面の簡単な説明】
【００３８】
【図１】本発明の実施の形態に係るドロップインローディング方式のカメラが適用されたコンパクトカメラを示す構成図
【図２】本発明の実施の形態に係るドロップインローディング方式のカメラが適用された、コンパクトカメラの作用を示す斜視図
【符号の説明】
【００３９】
１０…コンパクトカメラ、１２…パトローネ、１４…パトローネ室、１６…カメラ本体、２２…フイルム出入口、２７…フイルム走行面、３０…フイルム、３０ａ…フイルムリーダー部、４０…回転規制部材、４２…ガイド部材
【図１】
2005274959.tif 000003
【図２】
2005274959.tif 000004